(57)【要約】【課題】車椅子を利用している人が、エレベータのない家庭で１階と２階の間を行き来することは非常に困難であり、またエレベータを設置することは高コストとなる。【解決手段】エレベータの上昇は人力で行い、下降は重力利用と下降速度抑制装置で安全に下降する、安価なエレベータを提供する。【選択図】  図１
2004331231.tif 000002
【特許請求の範囲】
【請求項１】
エレベータのケージ重量と搭乗荷重の和より少し軽いカウンターウエイトを、天井の滑車を介してメインロープでケージと連結し、ケージ内部と外部のどちらからでも、人力で引き上げロープを巻き取ってケージを上昇させ、下降は重力と下降速度抑制装置でゆっくり行い、停止位置で停止ピンが自動作動して停止させることを特徴とするエレベータ。
【発明の詳細な説明】
【０００１】
【発明の属する技術分野】
本発明は、エレベータに関するものである。
【０００２】
【従来の技術】
従来のエレベータは電動モーターで駆動し非常にコストが高い。
【０００３】
【発明が解決しようとする課題】
車椅子を利用している人が、エレベータのない家庭で１階と２階の間を行き来することは非常に困難であり、またエレベータを設置することは高コストとなる。
【０００４】
【課題を解決するための手段】
カウンターウエイトを設置してエレベータの引き上げ荷重を低減し、人力でエレベータを上昇させ、下降は重力を利用して動力を不要とし、安価なエレベータを構成する。
【０００５】
【発明の実施の形態】
引き上げ荷重の大部分をカウンターウエイトで対応させ、人力で引き上げロープを巻き取ることでエレベータを上昇させ、下降は重力を利用する。
【０００６】
【実施例】
実施例について図面を参照して説明する。図１に示すように、ケージ１とカウンターウエイト２を、滑車３を介してメインロープ４で連結する。カウンターウエイト２はベースウエイトといくつかの調整ウエイトで構成し、合計重量（以降Ｗ１とする）がケージ重量（Ｗ２）と搭乗荷重（Ｗ３）の和より少し軽くなるように調整ウエイトを加減する。このカウンターウエイトの設置により、引き上げ時に掛かる負荷は（Ｗ２＋Ｗ３）−Ｗ１に低減する。
【０００７】
ハンドル５をケージ内に、ハンドル６を２階隔壁部に、ハンドル７を１階隔壁部にそれぞれ設置し、ハンドル５とハンドル６のロープ巻取りリール８と９を、滑車７を介して引き上げロープ１０で連結し、ハンドル６とハンドル７はチェーン１１で連動させるようにし、ハンドル５，６または７を人力で回して、引き上げロープ９をロープ巻取りリール８または９に巻き取り、ケージ１を上昇させる。これにより、ケージ１の内部からでも外部の１階または２階からでもケージ１を上昇させることができる。ハンドルの軸には小さい歯車を、ロープ巻取りリールの軸には大きい歯車を設けて、小さい力でハンドルを回すことができるようにする。ロープ巻き取り時（上昇時）は図２に示すように戻り防止ピン１６でロープ巻取りリール８または９の逆転防止を図る。下降時は戻り防止ピン１６を図２の矢印方向に外すと、ケージ１と搭乗荷重の和の方がカウンターウエイト２より重いので、重力で下降する。
【０００８】
下降速度を抑制するために歯車とはずみ車で構成する下降速度抑制装置１３をケージ側面に取り付ける。レール１４は図５に示すレール用歯車２５が噛み合うように図９に示すような穴３５を設ける。歯車２６の詳細側面図を図６に示す。歯車の内輪２９を軸に固定し、歯車の外輪３０は自由に回転できるようにする。下降時はａの方向に回転する内輪２９に取り付けた回転伝達ピン３１がバネ３２で起こされて外輪３０を回転させ、歯車群２７を介してはずみ車２８にエネルギーを伝達し、下降速度を抑制する。ケージ１が停止すると内輪２９も停止するが、外輪３０は回転伝達ピン３１を押し下げながらａ方向に回転を続けるので、はずみ車を急激に停止させて衝撃を生じさせることはない。上昇時は内輪２９がｂ方向に回転し、回転伝達ピン３１が押し下げられるので歯車群２７やはずみ車２８は回転せず、エネルギーを吸収されない。
【０００９】
図５の（Ａ）部には、レール１４との噛み合わせをよくするためにローラーを取り付ける。図７および図８はローラー取り付け例である。
【００１０】
１階にはケージ１がそれ以上下降しないように、また２階にはそれ以上上昇しないようにそれぞれストッパーを設けておく。
【００１１】
ケージ１が１階または２階に停止している時は、図３に示す停止ピン１８でケージの上昇または下降を防止する。停止ピン１８の先端にはローラーまたはボール１９を取り付けて停止ピン１８がケージ１の側面をスライドするときの摩擦を小さくする。図４で実線の図は停止ピン１８が働いてロックの状態、点線の図はロック解除ロッド２１が停止ピン１８を押し戻してロックを解除している状態のときの図である。ケージ１の側面内部にロックレバー２３を設けておき、ケージ内部からロックやロック解除の操作をできるようにする。以下に運転手順を説明する。
【００１２】
１階でケージ１に乗り、ロックレバー２３を上に押し上げるとロック解除ロッド２１が伸びて、停止ピン１８をバネ２０に抗して押し戻してロックを解除する。戻り防止ピン１６を掛け、ハンドル５を回して引き上げロープ１０を巻き取り上昇する。上昇を始めるとロックレバー２３は下へ押し下げてロックの位置にしておく。２階へ上昇すると図３のａ部と同様のケージ上部の角とり部が２階床の停止ピン１８を押し戻し、ケージ１が更に上昇して停止位置に到達すると、停止ピン１８がバネ２０に押し出されてケージ１を停止する。上昇中にロックレバー２３を押し下げておかなかった場合は、２階のストッパーに当たって停止するので、降りる前にロックレバー２３を押し下げてロックを掛ける。
【００１３】
２階でケージ１に乗る場合も、ロックレバー２３を上に押し上げてロックを解除する。戻り防止ピン１６を外すとケージ１は下降する。下降を始めるとロックレバー２３は下へ押し下げてロックの位置にしておく。１階へ降りてくると、ケージ１の角とり部ａが１階床の停止ピン１８を押し戻し、ケージが更に下降して図３の状態になり、停止ピン１８がバネ２０により押し出される。ロックレバー２３を押し下げておかなかった場合は、１階のストッパーに当たって停止するので、降りる前にロックレバー２３をロックの位置にすれば、人が降りてもケージ１は上昇しない。
【００１４】
【発明の効果】
以上説明したように、本発明のエレベータは、人の軽い力で上昇し、重力で下降するので安価であり、一般家庭への導入が容易となり、車椅子生活者の２階への移動を容易にし、行動範囲を拡張できる。
【図面の簡単な説明】
【図１】簡易エレベータの全体イメージを示す図である。
【図２】ロープ巻取りリールの戻り防止機構を示す図である。
【図３】停止ピンが働いてケージの上昇または下降を防止している図である。
【図４】ロック解除ロッドの作動機構を示す図である。
【図５】下降速度抑制装置を示す図である。
【図６】歯車２６の詳細側面を示す図である。
【図７】図５の（Ａ）部の例を示す図である。
【図８】図５の（Ａ）部のもう一つの例を示す図である。
【図９】レール１４の詳細例を示す図である。
【符号の説明】
１  ケージ
２  カウンターウエイト
３  滑車
４  メインロープ
５  ハンドル
６  ハンドル
７  ハンドル
８  ロープ巻取りリール
９  ロープ巻取りリール
１０  引き上げロープ
１１  チェーン
１２  隔壁
１３  下降速度抑制装置
１４  レール
１５  逆転防止歯車
１６  逆転防止ピン
１７  ストッパー
１８  停止ピン
１９  ローラーまたはボール
２０  バネ
２１  ロック解除ロッド
２２  １階床部
２３  ロックレバー
２４  ガイドレール
２５  レール用歯車
２６  歯車
２７  歯車群
２８  はずみ車
２９  歯車２６の内輪
３０  歯車２６の外輪
３１  回転伝達ピン
３２  バネ
３３  ローラー
３４  ローラー
３５  穴
【図１】
2004331231.tif 000003
【図２】
2004331231.tif 000004
【図３】
2004331231.tif 000005
【図４】
2004331231.tif 000006
【図５】
2004331231.tif 000007
【図６】
2004331231.tif 000008
【図７】
2004331231.tif 000009
【図８】
2004331231.tif 000010
【図９】
2004331231.tif 000011